(57)【要約】  ペイロード（３０）を目標地点（１１）に輸送するための方法であって、−  浮力筐体と、浮力筐体によって運搬されるゴンドラと、ペイロード運搬器具（４１）と、少なくとも１つのプロペラ（３６）と、を備えるハイブリッド飛行船（１０）を提供するステップと、−  ペイロード（３０）を運搬するハイブリッド飛行船（１０）を目標地点に飛行させるステップであって、ペイロード（３０）を運搬するハイブリッド飛行船（１０）を飛行させるステップは、少なくとも１つのプロペラ（３６）によって揚力を生じるステップを含む、ステップと、を含む方法である。ペイロード（３０）を運搬するハイブリッド飛行船（１０）を飛行させるステップは、ペイロード（３０）を運搬するハイブリッド飛行船（１０）が長手方向に移動するとき、空気力学的揚力を生じるために、浮力筐体（３２）の長手方向軸（Ａ−Ａ’）を正のピッチに傾けるステップを含む。
2021502308.tif 000002
【特許請求の範囲】
【請求項１】
ペイロード（３０）を目標地点（１１）に輸送するための方法であって、
−  空気より軽いガスを収容する浮力筐体（３２）を備えるハイブリッド飛行船（１０）を提供するステップであって、前記浮力筐体（３２）は長手方向軸（Ａ−Ａ’）を有し、前記ハイブリッド飛行船（１０）は、前記浮力筐体（３２）によって運搬されるゴンドラ（３４）と、前記浮力筐体（３２）に接続されたペイロード運搬器具（４１）と、少なくともプロペラ軸（Ｂ−Ｂ’）の周りで回転したときに力を生じることができるブレード（５０）を備える少なくとも１つのプロペラ（３６）と、少なくとも１つの前記プロペラ（３６）によって生じる力の向きを変更するために、少なくとも１つの軸（６０；６２）の周りで前記浮力筐体（３２）に対する少なくとも１つの前記プロペラ（３６）の向きを制御するための機構（３９）と、を備えるステップと、
−  前記ペイロード（３０）を運搬する前記ハイブリッド飛行船（１０）を前記目標地点（１１）に飛行させるステップであって、前記ペイロード（３０）を運搬する前記ハイブリッド飛行船（１０）を飛行させるステップは、少なくとも１つの前記プロペラ（３６）によって揚力を生じるステップを含む、ステップと、
を含み、前記ペイロード（３０）を運搬する前記ハイブリッド飛行船（１０）を飛行させるステップが、前記ペイロード（３０）を運搬する前記ハイブリッド飛行船（１０）が長手方向に移動するとき、空気力学的揚力を生じるために、前記浮力筐体（３２）の前記長手方向軸（Ａ−Ａ’）を正のピッチに傾けるステップを含むことを特徴とする方法。
【請求項２】
前記正のピッチは、０．５°より大きく、有利には、０．５°と１５°との間、特に、０．５°から５°までに含まれることを特徴とする請求項１に記載の方法。
【請求項３】
前記ペイロード（３０）を運搬する前記ハイブリッド飛行船（１０）を前記目標地点（１１）に飛行させる前には、
−  前記ペイロード（３０）まで前記ハイブリッド飛行船（１０）を飛行させ、前記ペイロード運搬器具（４１）を前記ペイロード（３０）に接続するステップと、
−  前記ペイロード（３０）を上昇させるステップと、
を含み、前記ペイロード（３０）を運搬する前記ハイブリッド飛行船（１０）を前記目標地点（１１）に飛行させた後には、
−  前記ハイブリッド飛行船（１０）および前記ペイロード（３０）を、前記ペイロード（３０）を前記目標地点（１１）に落とすために降下させるステップを含むことを特徴とする請求項１または２に記載の方法。
【請求項４】
前記ペイロード（３０）を前記目標地点（１１）に落とした後には、ペイロード（３０）なしで、または前記ハイブリッド飛行船（１０）とペイロード（３０）との組み合わせが空気よりも軽い浮力を有するようなペイロード（３０）とともに、前記ハイブリッド飛行船（１０）を飛行させ帰すステップを含み、前記ハイブリッド飛行船（１０）を飛行させ帰すステップは、前記ハイブリッド飛行船（１０）が長手方向に移動するとき、空気力学的降下力を生じるために、前記浮力筐体（３２）の前記長手方向軸（Ａ−Ａ’）を負のピッチに傾けるステップを含むことを特徴とする請求項３に記載の方法。
【請求項５】
前記ハイブリッド飛行船（１０）を飛行させ帰すステップは、少なくとも１つの前記プロペラ（３６）によって降下力を生じるステップを含むことを特徴とする請求項４に記載の方法。
【請求項６】
前記ペイロード（３０）まで前記ハイブリッド飛行船（１０）を飛行させるステップは、目標高度まで前記ハイブリッド飛行船を上昇させるために、少なくとも１つの前記プロペラ（３６）によって揚力を生じるステップを含むことを特徴とする請求項３から５のいずれか１項に記載の方法。
【請求項７】
前記ペイロード（３０）まで前記ハイブリッド飛行船（１０）を飛行させるステップは、前記目標高度に到達した後には、前記ハイブリッド飛行船（１０）が長手方向に移動するとき、空気力学的降下力を生じるために、前記浮力筐体（３２）の前記長手方向軸（Ａ−Ａ’）を負のピッチに傾けるステップを含むことを特徴とする請求項６に記載の方法。
【請求項８】
前記ペイロード（３０）を運搬する前記ハイブリッド飛行船（１０）を前記目標地点（１１）に飛行させるステップは、前記目標地点（１１）に対する前記浮力筐体（３２）の前記長手方向軸（Ａ−Ａ’）の位置を横方向に調整するための前記長手方向軸（Ａ−Ａ’）を横切る成分を有する力を生じるために、少なくとも１つの前記プロペラ（３６）の向きを制御するための前記機構（３９）を作動させるステップを含むことを特徴とする請求項１から７のいずれか１項に記載の方法。
【請求項９】
少なくとも１つの前記プロペラ（３６）の向きを制御するための前記機構（３９）は、前記プロペラ軸（Ｂ−Ｂ’）が水平であるときに少なくとも実質的に鉛直である、前記浮力筐体（３２）に対する少なくとも１つの前記プロペラ（３６）の第１のピボット軸（６０）を備え、少なくとも１つの前記プロペラ（３６）の向きを制御するための前記機構（３９）は、前記長手方向軸（Ａ−Ａ’）を横切る成分を有する力を生じるため、少なくとも１つの前記プロペラ（３６）を前記第１のピボット軸（６０）の周りで回転させることを特徴とする請求項８に記載の方法。
【請求項１０】
少なくとも１つの前記プロペラ（３６）を回転させるための前記機構（３９）は、前記長手方向軸（Ａ−Ａ’）が水平であるときに少なくとも実質的に水平である、前記浮力筐体（３２）に対する少なくとも１つの前記プロペラ（３６）の第２のピボット軸（６２）を備え、少なくとも１つの前記プロペラ（３６）の向きを制御するための前記機構（３９）は、揚力を生じるため、少なくとも１つの前記プロペラ（３６）を前記第２のピボット軸（６２）の周りで回転させることを特徴とする請求項８または９に記載の方法。
【請求項１１】
前記第１のピボット軸（６０）は前記第２のピボット軸（６２）の周りで回転可能であり、少なくとも１つの前記プロペラ（３６）を前記第２のピボット軸（６２）の周りで回転させることは、前記第１のピボット軸（６０）の前記第２のピボット軸（６２）の周りでの回転を生じることを特徴とする請求項１０に記載の方法。
【請求項１２】
前記長手方向軸（Ａ−Ａ’）の位置の前記横方向調整は、前記ハイブリッド飛行船（１０）を長手方向に移動させることなく実施されることを特徴とする請求項８から１１のいずれか１項に記載の方法。
【請求項１３】
ペイロード（３０）を目標地点（１１）に輸送するためのハイブリッド飛行船（１０）であって、
−  空気より軽いガスを収容する浮力筐体（３２）であって、長手方向軸（Ａ−Ａ’）を有する浮力筐体（３２）と、
−  前記浮力筐体（３２）によって運搬されるゴンドラ（３４）と、
−  前記浮力筐体（３２）に接続されたペイロード運搬器具（４１）と、
−  少なくともプロペラ軸（Ｂ−Ｂ’）の周りで回転したときに力を生じることができるブレード（５０）を備える少なくとも１つのプロペラ（３６）と、
−  生じた力の向きを変更するために、少なくとも１つの軸（６０，６２）の周りで前記浮力筐体（３２）に対する少なくとも１つの前記プロペラ（３６）の向きを制御するための機構（３９）であって、前記ペイロード（３０）を運搬する前記ハイブリッド飛行船（１０）を飛行させるとき、少なくとも１つの前記プロペラ（３６）によって揚力を生じるために少なくとも１つの前記プロペラ（３６）の向きを制御することができる少なくとも１つのプロペラの向きを制御するための機構（３９）と、
を備え、前記ペイロード（３０）を運搬する前記ハイブリッド飛行船（１０）が長手方向に移動するとき、空気力学的揚力を生じるために、傾き制御装置（４６）が前記浮力筐体（３２）の長手方向軸（Ａ−Ａ’）を正のピッチに傾けることができることを特徴とするハイブリッド飛行船（１０）。
【請求項１４】
少なくとも１つの前記プロペラ（３６）の向きを制御するための前記機構（３９）は、前記目標地点（１１）に対する前記浮力筐体の前記長手方向軸（Ａ−Ａ’）の位置を横方向に調整するための前記長手方向軸（Ａ−Ａ’）を横切る成分を有する力を生じるために、少なくとも１つの前記プロペラ（３６）の向きを制御することができることを特徴とする請求項１３に記載のハイブリッド飛行船（１０）。
【請求項１５】
少なくとも１つの前記プロペラ（３６）の向きを制御するための前記機構（３９）は、前記プロペラ軸（Ｂ−Ｂ’）が水平であるときに少なくとも実質的に鉛直である、前記浮力筐体（３２）に対する少なくとも１つの前記プロペラ（３６）の第１のピボット軸（６０）を備え、少なくとも１つの前記プロペラ（３６）の向きを制御するための前記機構（３９）は、前記長手方向軸（Ａ−Ａ’）を横切る成分を有する力を生じるため、少なくとも１つの前記プロペラ（３６）を前記第１のピボット軸（６０）の周りで回転させることができることを特徴とする請求項１４に記載のハイブリッド飛行船（１０）。
【発明の詳細な説明】
【技術分野】
【０００１】
本発明は、ペイロードを目標地点に輸送するための方法であって、
−  空気より軽いガスを収容する浮力筐体を備えるハイブリッド飛行船を提供するステップであって、浮力筐体は長手方向軸を有し、ハイブリッド飛行船は、浮力筐体によって運搬されるゴンドラと、前記浮力筐体に接続されたペイロード運搬器具と、少なくともプロペラ軸の周りで回転したときに力を生じることができるブレードを備える少なくとも１つのプロペラと、少なくとも１つのプロペラによって生じる力の向きを変更するために、少なくとも１つの軸の周りで浮力筐体に対する少なくとも１つのプロペラの向きを制御するための機構と、を備えるステップと、
−  ペイロードを運搬するハイブリッド飛行船を目標地点に飛行させるステップであって、ペイロードを運搬するハイブリッド飛行船を飛行させるステップは、少なくとも１つのプロペラによって揚力を生じるステップを含む、ステップと、
を含む方法に関する。
【背景技術】
【０００２】
ハイブリッド飛行船は、特に、重いペイロードをアクセスが困難な遠隔の地点、特に、陸路によるアクセスが面倒または不可能である地方に運搬することを目的とする。
【０００３】
例えば、ペイロードは、アクセスが困難な遠隔の地方での石油およびガス探査活動で使用される。この地方は、特に、森林、特に、熱帯林のような高密度の植生を含む。また、この地方は、丘陵（例えば山麓）、崖、および／または山のような起伏の多い地形を含むことがある。この地方は、時に、不発弾（ＵＸＯ）のあるエリアのような、アクセスが危険なエリアを含むことがある。
【０００４】
一般に、そのような地方にペイロードを運搬するためにはヘリコプターが使用される。しかしながら、ヘリコプターは運用に費用がかかり、大量の温室効果ガスを生じる。またヘリコプターは、運搬することができるペイロードの量も非常に制限されている。
【０００５】
ハイブリッド飛行船は、重いペイロードを目標地点に輸送するための非常に効率的で環境にやさしい代替手段である。ハイブリッド飛行船は最小限の燃料消費でより重いペイロードを運搬することができる。ハイブリッド飛行船は静かであり、プロペラに電力を提供する汽力発電機で推進されることができる。
【先行技術文献】
【特許文献】
【０００６】
【特許文献１】米国特許出願公開第２００７／０１０２５７１号明細書
【発明の概要】
【発明が解決しようとする課題】
【０００７】
特許文献１は、上記のタイプの飛行船を開示している。飛行船は、浮力筐体に対して垂直方向の向きが固定された複数のプロペラを備える。プロペラのブレードの傾きは調整可能である。飛行船が空気よりも軽いとき、例えば、飛行船がペイロードを運搬しないとき、または飛行船によって運搬されるペイロードが数トンよりも小さいとき、プロペラは飛行船の正の浮力を補償することができる降下力を生じる。逆に、飛行船が空気より重いとき、例えば、飛行船が数トンを超えるペイロードを運搬するとき、プロペラは浮力に加えて使用される揚力を生じる。
【０００８】
このような飛行船は完全に満足のいくものではない。輸送するペイロードの重量が増大したとき、より大きな浮力を提供するために飛行船の大きさを増大させ、かつ／または推進揚力を高めるためにプロペラの大きさと出力とを向上させねばならない。
【０００９】
大きさおよび／または推進力の増大は、飛行のためのベースキャンプに飛行船を運搬するのがより困難となるので、かつ／または輸送に時間がかかり追加の燃料を必要とするので、遠隔の環境には適応しない。
【００１０】
本発明の１つの目的は、飛行船の大きさおよび／または燃料消費の、大幅な増大を必要としないハイブリッド飛行船によって、重いペイロードを遠隔の地点に輸送する方法を提供することである。
【課題を解決するための手段】
【００１１】
この目的のために、本発明の主題は、上記のタイプの方法であって、ペイロードを運搬するハイブリッド飛行船を飛行させるステップが、ペイロードを運搬するハイブリッド飛行船が長手方向に移動するとき、浮力筐体の長手方向軸を正のピッチに傾けて空気力学的揚力を生じるステップを含むことを特徴とする方法である。
【００１２】
本発明による方法は、単独でまたは任意の技術的に実現可能な組み合わせに従って得られる１つ以上の下記の特徴を備える。
−  正のピッチは、０．５°より大きく、有利には、０．５°と１５°との間、特に、０．５°から５°までに含まれる。
−  方法は、ペイロードを運搬するハイブリッド飛行船を目標地点に飛行させる前には、
＊  ペイロードまでハイブリッド飛行船を飛行させ、ペイロード運搬器具をペイロードに接続するステップと、
＊  ペイロード（３０）を上昇させるステップと、
を含み、
ペイロードを運搬するハイブリッド飛行船を目標地点に飛行させた後には、
＊  ハイブリッド飛行船およびペイロードを、ペイロードを目標地点に落とすために降下させるステップ、
を含む。
−  方法は、ペイロードを目標地点に落とした後には、ペイロードなしで、またはハイブリッド飛行船とペイロードとの組み合わせが空気よりも軽い浮力を有するようなペイロードとともに、ハイブリッド飛行船を飛行させ帰すステップを含み、ハイブリッド飛行船を飛行させ帰すステップは、ハイブリッド飛行船が長手方向に移動するとき、空気力学的降下力を生じるために、浮力筐体の長手方向軸を負のピッチに傾けるステップを含む。
−  ハイブリッド飛行船を飛行させ帰すステップは、少なくとも１つのプロペラによって降下力を生じるステップを含む。
−  ペイロードまでハイブリッド飛行船を飛行させるステップは、目標高度まで飛行船を上昇させるために、少なくとも１つのプロペラによって揚力を生じるステップを含む。
−  ペイロードまでハイブリッド飛行船を飛行させるステップは、目標高度に到達した後には、ハイブリッド飛行船が長手方向に移動するとき、空気力学的降下力を生じるために、浮力筐体の長手方向軸を負のピッチに傾けるステップを含む。
−  ペイロードを運搬するハイブリッド飛行船を目標地点に飛行させるステップは、目標地点に対する浮力筐体の長手方向軸の位置を横方向に調整するための長手方向軸を横切る成分を有する力を生じるために、少なくとも１つのプロペラの向きを制御するための機構を作動させるステップを含む。
−  少なくとも１つのプロペラの向きを制御するための機構は、プロペラ軸が水平であるときに少なくとも実質的に鉛直である、浮力筐体に対する少なくとも１つのプロペラの第１のピボット軸を備え、少なくとも１つのプロペラの向きを制御するための機構は、長手方向軸を横切る成分を有する力を生じるため、少なくとも１つのプロペラを第１のピボット軸の周りで回転させる。
−  少なくとも１つのプロペラを回転させるための機構は、長手方向軸が水平であるときに少なくとも実質的に水平である、浮力筐体に対する少なくとも１つのプロペラの第２のピボット軸を備え、少なくとも１つのプロペラの向きを制御するための機構は、揚力を生じるため、少なくとも１つのプロペラを第２のピボット軸の周りで回転させる。
−  第１のピボット軸は第２のピボット軸の周りで回転可能であり、少なくとも１つのプロペラを第２のピボット軸の周りで回転させることは、第１のピボット軸の第２のピボット軸の周りでの回転を生じる。
−  長手方向軸の位置の横方向調整は、ハイブリッド飛行船を長手方向に移動させることなく実施される。
【００１３】
本発明はさらに、
−  空気より軽いガスを収容する浮力筐体であって、長手方向軸を有する浮力筐体と、
−  浮力筐体によって運搬されるゴンドラと、
−  前記浮力筐体に接続されたペイロード運搬器具と、
−  少なくともプロペラ軸の周りで回転したときに力を生じることができるブレードを備える少なくとも１つのプロペラと、
−  生じた力の向きを変更するために、少なくとも１つの軸の周りで浮力筐体に対する少なくとも１つのプロペラの向きを制御するための機構であって、ペイロードを運搬するハイブリッド飛行船を飛行させるとき、少なくとも１つのプロペラによって揚力を生じるために少なくとも１つのプロペラの向きを制御することができる、少なくとも１つのプロペラの向きを制御するための機構と、
を備え、ペイロードを運搬するハイブリッド飛行船が長手方向に移動するとき、空気力学的揚力を生じるために、傾き制御装置が浮力筐体の長手方向軸を正のピッチに傾けることができることを特徴とするハイブリッド飛行船に関する。
【００１４】
本発明による飛行船は、単独でまたは任意の技術的に実現可能な組み合わせに従って得られる１つ以上の下記の特徴を備える。
−  少なくとも１つのプロペラの向きを制御するための機構は、目標地点に対する筐体の長手方向軸の位置を横方向に調整するための長手方向軸を横切る成分を有する力を生じるために、少なくとも１つのプロペラの向きを制御することができる。
−  少なくとも１つのプロペラの向きを制御するための機構は、プロペラ軸が水平であるときに少なくとも実質的に鉛直である、浮力筐体に対する少なくとも１つのプロペラの第１のピボット軸を備え、少なくとも１つのプロペラの向きを制御するための機構は、長手方向軸を横切る成分を有する力を生じるため、少なくとも１つのプロペラを第１のピボット軸の周りで回転させることができる。
【００１５】
本発明はまた、ペイロードを目標地点に輸送するための方法に関し、方法は、
−  空気より軽いガスを収容する浮力筐体を備えるハイブリッド飛行船を提供するステップであって、浮力筐体は長手方向軸を有し、ハイブリッド飛行船は、浮力筐体によって運搬されるゴンドラと、ペイロード運搬器具と、少なくともプロペラ軸の周りで回転したときに力を生じることができるブレードを備える少なくとも１つのプロペラと、少なくとも１つのプロペラによって生じる力の向きを変更するために、少なくとも１つの軸の周りで浮力筐体に対する少なくとも１つのプロペラの向きを制御するための機構と、を備えるステップと、
−  ペイロードを運搬するハイブリッド飛行船を目標地点に飛行させるステップであって、ペイロードを運搬するハイブリッド飛行船を飛行させるステップは、少なくとも１つのプロペラによって揚力を生じるステップを含む、ステップと、
を含み、ペイロードを運搬するハイブリッド飛行船を目標地点に飛行させるステップは、目標地点に対する浮力筐体の長手方向軸の位置を横方向に調整するための長手方向軸を横切る成分を有する力を生じるために、少なくとも１つのプロペラの向きを制御するための機構を作動させるステップを含むことを特徴とする。
【００１６】
本発明による方法は、ペイロードを運搬するハイブリッド飛行船を飛行させるステップが、ペイロードを運搬するハイブリッド飛行船が長手方向に移動するとき、空気力学的揚力を生じるために、浮力筐体の長手方向軸を正のピッチに傾けるステップを含むことを必須としない。
【００１７】
本発明による方法は、単独でまたは任意の技術的に実現可能な組み合わせに従って得られる１つ以上の上記の特徴を含むことがある。
【００１８】
本発明はまた、ペイロードを目標地点に輸送するためのハイブリッド飛行船にも関し、ハイブリッド飛行船は、
−  空気より軽いガスを収容する浮力筐体であって、長手方向軸を有する浮力筐体と、
−  浮力筐体によって運搬されるゴンドラと、
−  ペイロード運搬器具と、
−  少なくともプロペラ軸の周りで回転したときに力を生じることができるブレードを備える少なくとも１つのプロペラと、
−  生じた力の向きを変更するために、少なくとも１つの軸の周りで浮力筐体に対する少なくとも１つのプロペラの向きを制御するための機構であって、ペイロードを運搬するハイブリッド飛行船を飛行させるとき、少なくとも１つのプロペラによって揚力を生じるために少なくとも１つのプロペラの向きを制御することができる、少なくとも１つのプロペラの向きを制御するための機構と、
を備え、少なくとも１つのプロペラの向きを制御するための機構は、目標地点に対する筐体の長手方向軸の位置を横方向に調整するための長手方向軸を横切る成分を有する力を生じるために、少なくとも１つのプロペラの向きを制御することができることを特徴とする。
【００１９】
本発明による飛行船は、ペイロードを運搬するハイブリッド飛行船が長手方向に移動するときに空気力学的揚力を生じるための、浮力筐体の長手方向軸を正のピッチに傾けることができる傾き制御装置を有することを必須としない。
【００２０】
本発明による飛行船は、単独でまたは任意の技術的に実現可能な組み合わせに従って得られる１つ以上の上記の特徴を備えることがある。
【００２１】
本発明は、単に例として与えられかつ添付の図面を参照してなされる下記の説明を読むと、よりよく理解されるであろう。
【図面の簡単な説明】
【００２２】
【図１】対象の地方の概略図である。
【図２】本発明による飛行船の側面図である。
【図３】図２の飛行船の上面図である。
【図４】図２の飛行船のプロペラと、プロペラの向きを制御するための機構と、の概略正面図である。
【図５】図２の飛行船のプロペラと、プロペラの向きを制御するための機構と、の概略上面図である。
【図６】飛行船が飛行するときのプロペラの構成を示す。
【図７】飛行船が飛行するときのプロペラの別の構成を示す。
【図８】飛行船が飛行するときのプロペラの別の構成を示す。
【図９】初期位置からペイロードが飛行船に接続されている位置までの飛行船の飛行を示す。
【図１０】ペイロードが飛行船に接続されている位置から、ペイロードが落とされる目標位置までの飛行船の飛行を示す。
【図１１】プロペラによって横方向の力が生じたときの、目標地点の付近の飛行船の上面図である。
【図１２】プロペラによって横方向の力が生じたときの、目標地点の付近の飛行船の上面図である。
【発明を実施するための形態】
【００２３】
本発明による方法によってペイロード３０を対象の地方１２内の目標地点１１に輸送するために使用される第１のハイブリッド飛行船１０が、図１に示される。ハイブリッド飛行船１０は、対象の地方１２の上空を飛行する。
【００２４】
対象の地方１２は、例えば、平坦でない地形１４を有する地方である。特に、平坦でない地形１４は、丘陵、山、崖、またはあらゆるタイプの起伏の多い地形を含む。対象の地方１２は、例えば、アクセスが困難な山麓に位置する。
【００２５】
対象の地方１２は、植生１６をさらに含む。植生１６は、例えば、森林、特に、熱帯林である。ここで、対象の地方１２は、高密度の植生、例えば、対象の地方１２の地面の大部分を覆う林冠２０を形成する樹木１８を含む。
【００２６】
対象の地方１２において、植生１６は、複数の自然および／または人工の開けた土地２２を画成する。
【００２７】
開けた土地２２は、２つの隣接する開けた土地２２間の見通し線に沿って得られた距離が、一般に、１００ｍと５００ｍとの間に含まれ、優先的には、約３００ｍであるように、離間して対象の地方１２に広がっている。
【００２８】
開けた土地２２は、地表では、２５ｍ２を超え、一般に、２００ｍ２を超える表面積を有し、または林冠２０の頂部では９００ｍ２を超えさえする表面積を一般に有する。
【００２９】
開けた土地２２は、例えば、ＯＧＰ標準の「ＯＧＰ−陸地地震とヘリリグの運用のためのヘリコプターガイドライン−レポート４２０バージョン１．１、２０１３年６月」で定義されている。
【００３０】
地面の下に位置する地下２４は、地層の層と、潜在的な石油およびガスの貯留層と、を含む。
【００３１】
石油およびガス貯留層の探査または採掘を実施するために、対象の地方１２は、少なくともベースキャンプ２６び二次キャンプ２８を含む。ベースキャンプ２６と二次キャンプ２８とは、その距離が、一般に、５ｋｍと２０ｋｍとの間に含まれ、優先的には約１０ｋｍ離れている。
【００３２】
ベースキャンプ２６は、有利には、道路２７によってアクセス可能である。備品および必需品は、例えば、道路２７を走行するトラックによってベースキャンプ２６に提供される。
【００３３】
二次キャンプ２８は、ベースキャンプ２６よりも開けた土地２２から近く、どの道路からもアクセス可能でない。
【００３４】
二次キャンプ２８と開けた土地２２とは、その距離が、一般に、２００ｍと１０ｋｍとの間に含まれ、優先的には、約５ｋｍ離れている。
【００３５】
ハイブリッド飛行船１０は、地面から離陸し、周囲の空を飛行し、地面に着陸するように構成されている。
【００３６】
図２および図３に示されるように、ハイブリッド飛行船１０は、長手方向軸Ａ−Ａ’に沿って延在する。
【００３７】
ハイブリッド飛行船１０は、実質的に鉛直方向に離陸および着陸し、飛行中は長手方向軸Ａ−Ａ’に実質的に沿って移動するように構成されている。
【００３８】
ハイブリッド飛行船１０は、ペイロード３０をベースキャンプ２６から二次キャンプ２８に、またその逆に、二次キャンプ２８からベースキャンプ２６に運搬するように構成されている。
【００３９】
ハイブリッド飛行船１０はまた、ペイロード３０を二次キャンプ２８から他の開けた土地２２に、またその逆に、開けた土地２２から二次キャンプ２８に運搬するために使用されてもよい。
【００４０】
ベースキャンプ２６から二次キャンプ２８に輸送されるペイロード３０は、例えば、テント、供給水、燃料または食料のような、キャンプ備品である。ペイロード３０は、また、地震設備および／または掘削設備のような、石油およびガスの探査および／または採掘のための設備も含む。
【００４１】
二次キャンプ２８からベースキャンプ２６に輸送されるペイロード３０は、例えば、キャンプ廃棄物、または使用済み備品である。
【００４２】
二次キャンプ２８から開けた土地２２に輸送されるペイロード３０は、例えば、探査のための地震設備および／または掘削設備である。
【００４３】
ペイロード３０は、いくつかの例では、患者後送のため、負傷したまたは病気の労働者を含んでもよい。
【００４４】
ハイブリッド飛行船１０は、特に、０トンと２トンとの間の重量のペイロード３０を運搬するように構成されている。
【００４５】
空気よりも軽いガスで満たされると、ペイロードを運搬していないときのハイブリッド飛行船１０の負の重量は、一般に、ペイロード３０の最大重量の約５０％であり、例えば、−１トンである。
【００４６】
図２および図３に示されるように、ハイブリッド飛行船１０は、浮力筐体３２と、浮力筐体３２の下に取り付けられたゴンドラ３４と、力を生じるための少なくとも１つのプロペラ３６と、１つ以上のプロペラ３６に電力を提供する少なくとも１つの発電機３８と、を備える。本発明によれば、ハイブリッド飛行船１０は、それぞれのプロペラ３６のために、プロペラ３６の向きと、制御装置３９によって生じさせられる力の向きと、を制御するための機構３９と、をさらに備える（図４および図５を参照）。
【００４７】
ハイブリッド飛行船１０は、ペイロード運搬器具４１をさらに備える。
【００４８】
浮力筐体３２は、空気よりも軽いガスを収容し、これは、ガスが２０℃かつ１気圧で周囲の空気よりも低い密度を有することを意味する。ガスは、有利には、ヘリウムである。
【００４９】
空気よりも軽いガスで満たされたとき、浮力筐体３２は、ハイブリッド飛行船１０の空気中に正の浮力を提供する。
【００５０】
浮力筐体３２は、長手方向軸Ａ−Ａ’に沿って延在する。
【００５１】
ここで、図２および図３に示されるように、浮力筐体３２は、軸Ａ−Ａ’を横切る平面で得られた、卵形の輪郭の翼形状を有する。卵形の輪郭は空気抵抗を制限する。
【００５２】
飛行船１０が水平であるとき、軸Ａ−Ａ’に垂直に得られた浮力筐体３２の最大鉛直方向高さと、長手方向軸Ａ−Ａ’に沿って得られた浮力筐体３２の最大長さと、の比率は、２０％と３５％との間に含まれる。
【００５３】
水平断面において、浮力筐体３２の最大横幅と浮力筐体３２の最大長さとの比率は、２５％と３５％との間に含まれる。
【００５４】
浮力筐体３２は、有利には、浮力筐体３２から突出しかつ浮力筐体３２の後方に位置する少なくとも１つの舵４２と、少なくとも舵４２を制御してハイブリッド飛行船１０のピッチ角を変更することができる傾き制御装置４６と、を備える。
【００５５】
ここで、ピッチ角は、長手方向軸Ａ−Ａ’と水平軸との間の角度として定義される。
【００５６】
舵４２は、ハイブリッド飛行船１０の方向制御を安定させかつ改善するように構成されている。傾き制御装置４６は、舵４２の昇降舵を制御して、ハイブリッド飛行船１０のピッチを変更し、０°から１５°までの、優先的には、０．５°から１５°まで、特に、０．５°から５°までの範囲に及ぶ長手方向軸Ａ−Ａ’の正のピッチ、または、０°から−１５°までの、優先的には、−０．５°から−１５°まで、特に、−０．５°から−５°までの長手方向軸Ａ−Ａ’の負のピッチを得る。
【００５７】
ここで、ゴンドラ３４は、長手方向軸Ａ−Ａ’に沿って延在する。
【００５８】
有利には、ゴンドラ３４の水平断面は、空気抵抗を制限する空気力学的形状を有するために楕円形である。
【００５９】
ゴンドラ３４は、有利には、複合材料で作られている。例えば、ゴンドラ３４は、炭素繊維サンドイッチパネルで作られている。
【００６０】
ゴンドラ３４は、有利には、ハイブリッド飛行船１０のパイロットのためのコックピットと、乗客または荷物を輸送するためのキャビンと、少なくとも１つのサイドドアと、搭載された電気システムと、を備える。
【００６１】
それぞれのプロペラ３６は、ハイブリッド飛行船１０を推進するように構成されている。
【００６２】
プロペラ３６は、有利には、浮力筐体３２から側方に突出するマスト構造４４によって浮力筐体３２に取り付けられる。
【００６３】
ハイブリッド飛行船１０は、有利には、少なくとも２つのプロペラ３６、例えば、浮力筐体３２のそれぞれの側面に対称的に配置された４つのプロペラ３６を備える。
【００６４】
ここで、図４および図５において、それぞれのプロペラ３６は、電動モーター４５と、ローター４８と、管状ガイド５１内でローター４８から突出する複数のプロペラブレード５０と、を備える。発電機３８が電動モーター４８に電力を提供するとき、電動モーター４８は、管状ガイド５１に沿って空気流を引き起こすため、ローター４８およびブレード５０をプロペラ軸Ｂ−Ｂ’の周りで回転させる。次に、軸Ｂ−Ｂ’に沿って力が生じる。
【００６５】
プロペラ３６は、最高１００ｋｍ／ｈの対気速度で、一般に、実質的に６０ｋｍ／ｈの巡航対気速度でハイブリッド飛行船１０を推進することができる。
【００６６】
ハイブリッド飛行船１０は、その上昇が、空気よりも軽いガスを含む浮力筐体３２の浮力による空気静力学的上昇、有利には、浮力筐体３２の特定の翼状形状による空気力学的上昇と、プロペラ３６による潜在的な鉛直方向推力と、によって確保されるので、「ハイブリッド」と呼ばれる。
【００６７】
発電機３８は、それぞれのプロペラ３６に電力を提供する。発電機３８は、プロペラ３６のそれぞれから離れている。
【００６８】
発電機３８およびそれぞれの関連するプロペラ３６は、ゴンドラ３４および筐体３２を通る電気ケーブルを介して電気的に接続されている。
【００６９】
発電機３８は、発電機３８に取り付けられたプロペラを奪われている。
【００７０】
発電機３８は、少なくとも１つのモーター５４と、少なくとも１つのオルタネーター５６と、を備える。
【００７１】
モーター５４は、好ましくは、熱モーターである。モーターは、石油、ガス、水素によって燃料供給される。モーター５４は、燃料の化学的エネルギーから機械的エネルギーを生成するように構成されている。
【００７２】
変形例において、発電機３８は、燃料電池のような化学的発電機である。
【００７３】
それぞれのオルタネーター５６は、モーター５４のうちの１つに接続されている。オルタネーター５６は、モーター５４によって提供される機械的エネルギーから電気的エネルギーを生成するように構成されている。
【００７４】
図２および図３に示される例において、それぞれの発電機３８は、２つのモーター５４と、２つのオルタネーター５６と、を備える。
【００７５】
それぞれのオルタネーター４８は、ゴンドラ３４内に位置する一次配電システム（図示せず）に接続されている。一次配電システムは、搭載された電気システムおよびプロペラ３６のそれぞれのモーター４５に電力を提供するように構成されている。
【００７６】
ペイロード運搬器具４１は、例えば、ゴンドラ３４の下でペイロード３０を運搬するための、例えば、ウィンチによってゴンドラ３４から展開された少なくとも１つの綱を備える巻上システムである。ペイロード３０は、ペイロード運搬器具４１によってハイブリッド飛行船１０から吊り下げられている。ゴンドラ３４の底部とペイロード３０との間の鉛直方向の高さは、一般に、１０ｍより大きく、１０ｍと６０ｍとの間に含まれる。
【００７７】
図４および図５に示されるように、制御機構３９は、浮力筐体３２に対するプロペラ３６の第１のピボット軸６０と、第１のピボット軸６０に対して垂直な、浮力筐体３２に対するプロペラ３６の第２のピボット軸６２と、有利には、第１のピボット軸６０と第２のピボット軸６２との間の接続アセンブリ６４と、を備える。
【００７８】
制御機構３９は、第１のピボット軸６０の周りおよび第２のピボット軸６２の周りのプロペラ３６のそれぞれのピボット角度を制御するための制御ユニット６６をさらに備え、プロペラ軸Ｂ−Ｂ’の向きおよびプロペラ３６によって生じる力の向きを定める。
【００７９】
この例において、第２のピボット軸６２は、長手方向軸Ａ−Ａ’に対して固定された向きの水平軸である。長手方向軸Ａ−Ａ’を含む水平面での投影において、第２のピボット軸６２は、有利には、長手方向軸Ａ−Ａ’に対して垂直である。
【００８０】
プロペラ軸Ｂ−Ｂ’が水平であるとき、第１のピボット軸６０は鉛直である。接続アセンブリは、第１のピボット軸６０を第２のピボット軸６２に接続し、プロペラ３６が第２のピボット軸６２の周りで回転するとき、第１のピボット軸６０も第２のピボット軸６２の周りで一緒に回転する。
【００８１】
有利には、接続アセンブリ６４は、「カルダン」または「ジンバル」タイプである。第１のピボット軸６０は、少なくとも１つの第１のピボット７０、優先的には、２つの互いに反対側の第１のピボット７０を備え、第１のピボット７０は、プロペラ軸Ｂ−Ｂ’に対して垂直にプロペラ管状ガイド５１の２つの反対側に径方向に設けられる。
【００８２】
接続器具は、少なくとも１つのフォーク７２、優先的には、２つの互いに反対側のフォーク７２を備え、フォーク７２は、基部７４と、プロペラ管状ガイド５１の両側の互いに反対側の第１のピボット７０を接続する２つのアーム７６と、を備える。
【００８３】
第２のピボット軸６２は、少なくとも１つの第２のピボット７８、優先的には、２つの互いに反対側の第２のピボット７８を備え、第２のピボット７８は、それぞれの基部７４と浮力筐体３２上のマスト構造４４との間に設けられる。
【００８４】
図６から図８に示されるように、制御ユニット６６は、第２のピボット軸６２の周りでそれぞれのプロペラ３６を選択的に回転させて、純粋に鉛直方向の上昇または降下（または逆上昇）成分を有する力（図６を参照）、ハイブリッド飛行船を長手方向軸Ａ−Ａ’に沿って移動させることができる長手方向駆動成分を有する力（図８を参照）、および／または鉛直方向の上昇または降下成分と長手方向駆動成分との混合力（図７）を生じるために、長手方向軸Ａ−Ａ’が水平なときに長手方向軸Ａ−Ａ’に対するプロペラ軸Ｂ−Ｂ’の傾き角を、−１８０°から＋１８０°まで、有利には、−９０°から９０°まで、変更することができる。
【００８５】
図１１に示されるように、制御ユニット６６は、第１のピボット軸６０の周りでそれぞれのプロペラ３６を選択的に回転させて、ハイブリッド飛行船１０を長手方向軸Ａ−Ａ’に対して横方向に移動させることができる横方向駆動成分を含むために、第２のピボット軸６２に垂直な軸に対するプロペラ軸Ｂ−Ｂ’の傾き角を、−１８０°から＋１８０°まで、優先的には、−９０°から＋９０°まで、変更することができる。
【００８６】
次に、ペイロード３０を目標地点１１に輸送するための方法について説明する。
【００８７】
最初に、ハイブリッド飛行船１０は収縮状態で組立地点、例えば、ベースキャンプ２６に運搬される。
【００８８】
図９のステップ１００に示されるように、ハイブリッド飛行船１０は組み立てられ、浮力筐体は空気よりも軽いガスで満たされる。
【００８９】
有利には、それぞれのプロペラ３６の制御機構４９は、プロペラ３６によって揚力を生じるように、プロペラ軸Ｂ−Ｂ’を実質的に鉛直位置に配置するように作動される。図９のステップ１０２に示されるように、ハイブリッド飛行船１０は、正の浮力と揚力との組み合わせによって上昇させられる。
【００９０】
ペイロードについての目標高度、例えば、林冠を３０ｍよりも超える高度では、プロペラ軸Ｂ−Ｂ’は、長手方向駆動成分を有する力を生じて飛行船１０を長手方向に移動させるため、第２のピボット軸６２の周りでの回転によって徐々に傾けられる。
【００９１】
図９のステップ１０４では、プロペラ軸Ｂ−Ｂ’は、長手方向軸Ａ−Ａ’に平行に設定される。傾き制御装置４６は、ハイブリッド飛行船１０の長手方向軸Ａ−Ａ’の負のピッチを生じるように作動される。
【００９２】
負のピッチは、ハイブリッド飛行船１０が長手方向に移動するとき、ハイブリッド飛行船１０に空気力学的降下力を引き起こす。空気力学的降下力は、正の浮力を補償し、ハイブリッド飛行船１０の高度を一定に保つことができる（図９のステップ１０６を参照）。
【００９３】
ペイロード位置の付近において、プロペラ３６は、第２のピボット軸６２の周りで再び回転させられ、増大する降下成分を有する力を生じる。ハイブリッド飛行船がペイロード３６の上空の地点に到達するとき、プロペラ軸Ｂ−Ｂ’は再び鉛直に設定され、ペイロード３６の上空での降下静止飛行を可能にする（図９のステップ１０８を参照）。
【００９４】
次に、ペイロード運搬器具４１がペイロード３０に展開される。その後、ペイロード３０は、ペイロード運搬器具４１に接続される。ペイロードが重いとき、ペイロードを運搬するハイブリッド飛行船１０の組み合わされた浮力は負になる。
【００９５】
次に、制御ユニット６６は、有利には、負の浮力を補償する鉛直揚力を生じるためにプロペラ軸Ｂ−Ｂ’を鉛直に設定することにより、プロペラ３６を回動するように作動される。
【００９６】
ペイロード３０を運搬するハイブリッド飛行船１０は、上空に昇る。図９のステップ１１０では、プロペラ軸Ｂ−Ｂ’は、長手方向成分を有する力を生じるように、第２のピボット軸６２の周りで回動される。
【００９７】
長手方向軸のピッチ角は、プロペラ３６によって生じる上昇成分に加えて、空気力学的揚力を生じるため、例えば、０°を超え、特に、１°を超えて正の値まで上げられ、また一般に、０°から１５°までの間に、特に、０．５°から５°までの間に含まれる。
【００９８】
空気力学的揚力は、例えば、プロペラ３６によって生じる揚力および空気力学的揚力の総和の４０％と６０％との間の範囲に及ぶ。
【００９９】
したがって、本発明による方法におけるハイブリッド飛行船１０の正のピッチの使用により、飛行船は、浮力筐体３２の大きさを大幅に増大させる必要なく、またはプロペラ３６によってより大きな揚力を生じる必要なく、より重いペイロード３０を運搬することができる。
【０１００】
図１０のステップ１１２では、目標地点１１の付近に到達するとき、ハイブリッド飛行船１０の長手方向軸Ａ−Ａ’のピッチが徐々に減少させられ、かつ／または、第２のピボット軸６２の周りでのプロペラ軸Ｂ−Ｂ’の向きが降下力を生じるように変更される。
【０１０１】
ハイブリッド飛行船１０は、目標地点１１に向かって長手方向に移動しながら、目標地点１１に向かって徐々に降下する。
【０１０２】
長手方向軸Ａ−Ａ’が正確な目標地点１１の横方向にオフセットしている場合、制御ユニット６６は、第１のピボット軸６０の周りでプロペラ３６を回転させるように作動される。プロペラ軸Ｂ−Ｂ’は、長手方向軸に平行な軸Ｃ−Ｃ’に対して傾き、それぞれのプロペラ３６は、横方向の移動力を生じる。ハイブリッド飛行船１０の長手方向軸Ａ−Ａ’は、図１１および図１２に示されるように、目標地点１１を長手方向軸Ａ−Ａ’と整列させるために横方向に移動する。
【０１０３】
したがって、本発明による方法において、目標地点１１が長手方向軸Ａ−Ａ’と完全に整列されていない場合に、ハイブリッド飛行船１０の位置を、複雑な復行の手順を実施する必要なく、鉛直方向だけでなく水平方向にも細かく制御することができる。
【０１０４】
これは、特に、植生１６と小規模の開けた土地２２とを含む対象の地方１２のような遠隔の環境で役立つ。
【０１０５】
次に、図１０のステップ１１４に示されるように、プロペラ軸Ｂ−Ｂ’は鉛直に向けられ、ペイロードが目標地点１１に接触するまでハイブリッド飛行船１０の静止降下が実施される。
【０１０６】
次に、ペイロード３０は、ペイロード運搬器具４１から切り離され、飛行船１０は、別の場所に、例えば、ベースキャンプ２６（ステップ１１６）に、ステップ１０２から１０６と同様の方法で飛行し帰す。
【０１０７】
変形例（図示せず）において、１つ以上のプロペラ３６のローター４８は、２つの反対方向に回転することができる。プロペラは、第２のピボット軸６２の周りでプロペラ３６を回転させる必要なく、回転方向に応じて揚力または降下力のいずれかを生じることができる。
【０１０８】
別の変形例において、長手方向軸Ａ−Ａ’の位置の横方向調整は、長手方向軸Ａ−Ａ’に沿ってハイブリッド飛行船１０を長手方向に移動させることなく実施される。
【０１０９】
別の変形例において、ペイロード３０は、ゴンドラ３４内に直接収容され、またはゴンドラ３４に取り付けられる。ペイロード運搬器具４１は、例えば、ゴンドラ３４内に画成された仕切り部、またはゴンドラ３４の下に固定された構造物である。
【０１１０】
ペイロード３０は、必ずしも目標地点１１で落とされる必要はなく、目標地点１１で、地面から離間してゴンドラ３４に接続されたままであり得る。
【０１１１】
例えば、ペイロード３４は、有利には、測定を実施するためのセンサーを含む。これらのセンサーは、例えば、電磁センサー、レーザーセンサー（ＬＩＤＡＲ）または赤外線センサーのようなアクティブセンサー、または重力場または磁場を測定するパッシブセンサーである。
【符号の説明】
【０１１２】
１０  ハイブリッド飛行船
１１  目標地点
３０  ペイロード
３２  浮力筐体
３４  ゴンドラ
３６  プロペラ
３９  プロペラの向きを制御するための機構
４１  ペイロード運搬器具
４６  傾き制御装置
５０  ブレード
６０  第１のピボット軸
６２  第２のピボット軸
Ａ−Ａ’  長手方向軸
Ｂ−Ｂ’  プロペラ軸
【図１】
2021502308.tif 000003
【図２】
2021502308.tif 000004
【図３】
2021502308.tif 000005
【図４】
2021502308.tif 000006
【図５】
2021502308.tif 000007
【図６】
2021502308.tif 000008
【図７】
2021502308.tif 000009
【図８】
2021502308.tif 000010
【図９】
2021502308.tif 000011
【図１０】
2021502308.tif 000012
【図１１】
2021502308.tif 000013
【図１２】
2021502308.tif 000014
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
ペイロード（３０）を目標地点（１１）に輸送するための方法であって、
−  空気より軽いガスを収容する浮力筐体（３２）を備えるハイブリッド飛行船（１０）を提供するステップであって、前記浮力筐体（３２）は長手方向軸（Ａ−Ａ’）を有し、前記ハイブリッド飛行船（１０）は、前記浮力筐体（３２）によって運搬されるゴンドラ（３４）と、前記浮力筐体（３２）に接続されたペイロード運搬器具（４１）と、少なくともプロペラ軸（Ｂ−Ｂ’）の周りで回転したときに力を生じることができるブレード（５０）を備える少なくとも１つのプロペラ（３６）と、少なくとも１つの前記プロペラ（３６）によって生じる力の向きを変更するために、少なくとも１つの軸（６０；６２）の周りで前記浮力筐体（３２）に対する少なくとも１つの前記プロペラ（３６）の向きを制御するための機構（３９）と、を備えるステップと、
−  前記ペイロード（３０）を運搬する前記ハイブリッド飛行船（１０）を前記目標地点（１１）に飛行させるステップであって、前記ペイロード（３０）を運搬する前記ハイブリッド飛行船（１０）を飛行させるステップは、少なくとも１つの前記プロペラ（３６）によって揚力を生じるステップを含む、ステップと、
を含み、前記ペイロード（３０）を運搬する前記ハイブリッド飛行船（１０）を飛行させるステップが、前記ペイロード（３０）を運搬する前記ハイブリッド飛行船（１０）が長手方向に移動するとき、空気力学的揚力を生じるために、前記浮力筐体（３２）の前記長手方向軸（Ａ−Ａ’）を正のピッチに傾けるステップを含むことを特徴とする方法。
【請求項２】
前記正のピッチは、０．５°より大きいことを特徴とする請求項１に記載の方法。
【請求項３】
前記ペイロード（３０）を運搬する前記ハイブリッド飛行船（１０）を前記目標地点（１１）に飛行させる前には、
−  前記ペイロード（３０）まで前記ハイブリッド飛行船（１０）を飛行させ、前記ペイロード運搬器具（４１）を前記ペイロード（３０）に接続するステップと、
−  前記ペイロード（３０）を上昇させるステップと、
を含み、前記ペイロード（３０）を運搬する前記ハイブリッド飛行船（１０）を前記目標地点（１１）に飛行させた後には、
−  前記ハイブリッド飛行船（１０）および前記ペイロード（３０）を、前記ペイロード（３０）を前記目標地点（１１）に落とすために降下させるステップを含むことを特徴とする請求項１または２に記載の方法。
【請求項４】
前記ペイロード（３０）を前記目標地点（１１）に落とした後には、ペイロード（３０）なしで、または前記ハイブリッド飛行船（１０）とペイロード（３０）との組み合わせが空気よりも軽い浮力を有するようなペイロード（３０）とともに、前記ハイブリッド飛行船（１０）を飛行させ帰すステップを含み、前記ハイブリッド飛行船（１０）を飛行させ帰すステップは、前記ハイブリッド飛行船（１０）が長手方向に移動するとき、空気力学的降下力を生じるために、前記浮力筐体（３２）の前記長手方向軸（Ａ−Ａ’）を負のピッチに傾けるステップを含むことを特徴とする請求項３に記載の方法。
【請求項５】
前記ハイブリッド飛行船（１０）を飛行させ帰すステップは、少なくとも１つの前記プロペラ（３６）によって降下力を生じるステップを含むことを特徴とする請求項４に記載の方法。
【請求項６】
前記ペイロード（３０）まで前記ハイブリッド飛行船（１０）を飛行させるステップは、目標高度まで前記ハイブリッド飛行船を上昇させるために、少なくとも１つの前記プロペラ（３６）によって揚力を生じるステップを含むことを特徴とする請求項３から５のいずれか１項に記載の方法。
【請求項７】
前記ペイロード（３０）まで前記ハイブリッド飛行船（１０）を飛行させるステップは、前記目標高度に到達した後には、前記ハイブリッド飛行船（１０）が長手方向に移動するとき、空気力学的降下力を生じるために、前記浮力筐体（３２）の前記長手方向軸（Ａ−Ａ’）を負のピッチに傾けるステップを含むことを特徴とする請求項６に記載の方法。
【請求項８】
前記ペイロード（３０）を運搬する前記ハイブリッド飛行船（１０）を前記目標地点（１１）に飛行させるステップは、前記目標地点（１１）に対する前記浮力筐体（３２）の前記長手方向軸（Ａ−Ａ’）の位置を横方向に調整するための前記長手方向軸（Ａ−Ａ’）を横切る成分を有する力を生じるために、少なくとも１つの前記プロペラ（３６）の向きを制御するための前記機構（３９）を作動させるステップを含むことを特徴とする請求項１から６のいずれか１項に記載の方法。
【請求項９】
少なくとも１つの前記プロペラ（３６）の向きを制御するための前記機構（３９）は、前記プロペラ軸（Ｂ−Ｂ’）が水平であるときに少なくとも実質的に鉛直である、前記浮力筐体（３２）に対する少なくとも１つの前記プロペラ（３６）の第１のピボット軸（６０）を備え、少なくとも１つの前記プロペラ（３６）の向きを制御するための前記機構（３９）は、前記長手方向軸（Ａ−Ａ’）を横切る成分を有する力を生じるため、少なくとも１つの前記プロペラ（３６）を前記第１のピボット軸（６０）の周りで回転させることを特徴とする請求項８に記載の方法。
【請求項１０】
少なくとも１つの前記プロペラ（３６）を回転させるための前記機構（３９）は、前記長手方向軸（Ａ−Ａ’）が水平であるときに少なくとも実質的に水平である、前記浮力筐体（３２）に対する少なくとも１つの前記プロペラ（３６）の第２のピボット軸（６２）を備え、少なくとも１つの前記プロペラ（３６）の向きを制御するための前記機構（３９）は、揚力を生じるため、少なくとも１つの前記プロペラ（３６）を前記第２のピボット軸（６２）の周りで回転させることを特徴とする請求項８または９に記載の方法。
【請求項１１】
前記第１のピボット軸（６０）は前記第２のピボット軸（６２）の周りで回転可能であり、少なくとも１つの前記プロペラ（３６）を前記第２のピボット軸（６２）の周りで回転させることは、前記第１のピボット軸（６０）の前記第２のピボット軸（６２）の周りでの回転を生じることを特徴とする請求項１０に記載の方法。
【請求項１２】
前記長手方向軸（Ａ−Ａ’）の位置の前記横方向調整は、前記ハイブリッド飛行船（１０）を長手方向に移動させることなく実施されることを特徴とする請求項８から１１のいずれか１項に記載の方法。
【請求項１３】
ペイロード（３０）を目標地点（１１）に輸送するためのハイブリッド飛行船（１０）であって、
−  空気より軽いガスを収容する浮力筐体（３２）であって、長手方向軸（Ａ−Ａ’）を有する浮力筐体（３２）と、
−  前記浮力筐体（３２）によって運搬されるゴンドラ（３４）と、
−  前記浮力筐体（３２）に接続されたペイロード運搬器具（４１）と、
−  少なくともプロペラ軸（Ｂ−Ｂ’）の周りで回転したときに力を生じることができるブレード（５０）を備える少なくとも１つのプロペラ（３６）と、
−  生じた力の向きを変更するために、少なくとも１つの軸（６０，６２）の周りで前記浮力筐体（３２）に対する少なくとも１つの前記プロペラ（３６）の向きを制御するための機構（３９）であって、前記ペイロード（３０）を運搬する前記ハイブリッド飛行船（１０）を飛行させるとき、少なくとも１つの前記プロペラ（３６）によって揚力を生じるために少なくとも１つの前記プロペラ（３６）の向きを制御することができる少なくとも１つのプロペラの向きを制御するための機構（３９）と、
を備え、前記ペイロード（３０）を運搬する前記ハイブリッド飛行船（１０）が長手方向に移動するとき、空気力学的揚力を生じるために、傾き制御装置（４６）が前記浮力筐体（３２）の長手方向軸（Ａ−Ａ’）を正のピッチに傾けることができることを特徴とするハイブリッド飛行船（１０）。
【請求項１４】
少なくとも１つの前記プロペラ（３６）の向きを制御するための前記機構（３９）は、前記目標地点（１１）に対する前記浮力筐体の前記長手方向軸（Ａ−Ａ’）の位置を横方向に調整するための前記長手方向軸（Ａ−Ａ’）を横切る成分を有する力を生じるために、少なくとも１つの前記プロペラ（３６）の向きを制御することができることを特徴とする請求項１３に記載のハイブリッド飛行船（１０）。
【請求項１５】
少なくとも１つの前記プロペラ（３６）の向きを制御するための前記機構（３９）は、前記プロペラ軸（Ｂ−Ｂ’）が水平であるときに少なくとも実質的に鉛直である、前記浮力筐体（３２）に対する少なくとも１つの前記プロペラ（３６）の第１のピボット軸（６０）を備え、少なくとも１つの前記プロペラ（３６）の向きを制御するための前記機構（３９）は、前記長手方向軸（Ａ−Ａ’）を横切る成分を有する力を生じるため、少なくとも１つの前記プロペラ（３６）を前記第１のピボット軸（６０）の周りで回転させることができることを特徴とする請求項１４に記載のハイブリッド飛行船（１０）。
【国際調査報告】
2021502308.tif 000015
2021502308.tif 000016
2021502308.tif 000017